(57)【要約】【課題】折戸の開閉時にかかる空気の抵抗を解消し、軽い力で開閉できる建具を提供する。【解決手段】本発明にかかる建具１は、浴室等の閉空間を連通する開口部に取付けるものであり、枠３と、障子５を備え、障子５は、折戸７を有し、枠３は、左右方向の開口寸法が障子５の左右方向の寸法よりも大きく、戸尻側に障子５の移動空間Ｓを有し、障子５は、折戸７の回転軸３３が枠３の戸尻側端に位置する基端位置で折戸が展開状態にあるときに、戸尻側にスライドすることで折戸７を折り畳み、基端位置で折戸７が展開状態にあるときに、戸先側にスライドすることで、障子５を移動空間Ｓ分を戸先側に移動する。【選択図】図１
2020079555.tif 000002
【特許請求の範囲】
【請求項１】
隣接する空間のうち、少なくとも一方を閉空間とした空間同士を連通する開口部に取付けるものであり、枠と、障子を備え、障子は折戸を有し、枠は、左右方向の開口寸法が障子の左右方向の寸法よりも大きく、戸尻側に障子の戸尻側が気密状態で移動可能な移動空間を有し、障子は、折戸の回転軸が枠の戸尻側端に位置する基端位置で折戸が展開状態にあるときに、戸尻側にスライドすることで折戸を折り畳み、基端位置で展開状態にある折戸が、展開状態のまま戸先側に移動空間分スライドしたときに、障子の戸先端部と戸先竪枠との間に通気路を形成した状態で全閉にすることを特徴とする建具。
【発明の詳細な説明】
【技術分野】
【０００１】
本発明は、折引戸や折戸等の建具に関する。
【背景技術】
【０００２】
図１４に示すように、折戸１０１を有する建具では、折戸の回転軸１０３は枠１０５の戸尻側端（基端位置）に固定してあり、展開状態にある折戸の戸先側を戸尻側にスライドすることで折戸１０１を折り畳んで全開し、折戸１０１の折り畳み状態から折戸の戸先側部１０７を戸先側にスライドすることで、折戸１０１が展開状態になって全閉していた。
【先行技術文献】
【特許文献】
【０００３】
【特許文献１】なし
【発明の概要】
【発明が解決しようとする課題】
【０００４】
しかし、折戸の開閉動作時において、折戸を閉じ切るときや折戸を開き始めるときに、密閉された浴室内（閉空間）の空気の抵抗を受けて、折戸の開閉が重くなるという問題があった。
【０００５】
そこで、本発明は、折戸の開閉時にかかる空気の抵抗を解消し、軽い力で開閉できる建具の提供を目的とする。
【課題を解決するための手段】
【０００６】
請求項１に記載の発明は、隣接する空間のうち、少なくとも一方を閉空間とした空間同士を連通する開口部に取付けるものであり、枠と、障子を備え、障子は折戸を有し、枠は、左右方向の開口寸法が障子の左右方向の寸法よりも大きく、戸尻側に障子の戸尻側が気密状態で移動可能な移動空間を有し、障子は、折戸の回転軸が枠の戸尻側端に位置する基端位置で折戸が展開状態にあるときに、戸尻側にスライドすることで折戸を折り畳み、基端位置で展開状態にある折戸が、展開状態のまま戸先側に移動空間分スライドしたときに、障子の戸先端部と戸先竪枠との間に通気路を形成した状態で全閉にすることを特徴とする建具である。
【発明の効果】
【０００７】
請求項１に記載の発明によれば、障子を開き始めるときには、折戸の回転軸を基端位置にすることで、障子の戸先側と枠との間に移動空間分の隙間が形成され、この隙間を空気が流通するから、閉空間内の空気が抵抗にならずに、軽い力で開くことができる。折戸を展開して障子を閉じ切るときには、障子の戸先側と枠との間に移動空間分の隙間があるのでこの隙間を空気が流通するから、閉空間内の空気が抵抗にならずに、軽い力で折戸を閉じ切ることができる。
障子を戸尻側に向けて障子の面内方向にスライドすることで折戸を折り畳みでき、障子を戸先側に向けて障子の面内方向にスライドすることで折戸を展開できるから、一直線方向の力で障子を開閉できるので、使い勝手が良い。
【図面の簡単な説明】
【０００８】
【図１】本発明の第１実施の形態にかかる建具の上端部の横断面図であり、（ａ）は建具の全閉状態、（ｂ）は建具の全閉状態から障子を基端位置に移動した状態、（ｃ）は建具の開き始めの状態、（ｄ）は建具を全開した状態である。
【図２】図１（ａ）に示す建具を拡大して示す図である。
【図３】本発明の第１実施の形態にかかる建具の戸尻側上部を浴室側から見た斜視図である。
【図４】折戸の回転軸の図であり、（ａ）は側面図、（ｂ）は（ａ）に示すＡ−Ａ断面図である。
【図５】吊元ガイドの図であり、（ａ）は底面図、（ｂ）は正面図、（ｃ）は左側面図である。
【図６】吊元ガイドの主部品の図であり、（ａ）は底面図、（ｂ）は正面図、（ｃ）は左側面図、（ｄ）は右側面図である。
【図７】吊元ガイドの補助部品の図であり、（ａ）は底面図、（ｂ）は正面図、（ｃ）は左側面図である。
【図８】吊元ガイドローラの図であり、（ａ）は平面図、（ｂ）は正面図、（ｃ）は側面図である。
【図９】引寄せローラの図であり、（ａ）は平面図、（ｂ）は正面図、（ｃ）は側面図である。
【図１０】引寄せガイドの図であり、（ａ）は平面図、（ｂ）は正面図、（ｃ）は側面図である。
【図１１】第２実施の形態にかかる建具の上端部の横断面図であり、（ａ）は建具の全閉状態、（ｂ）は建具の全閉状態から折戸を基端位置に移動した状態、（ｃ）は建具の開き始めの状態、（ｄ）は建具を全開した状態である。
【図１２】第３実施の形態にかかる建具であって、全閉状態にあるときの上下方向中間位置で切断した横断面図である。
【図１３】第４実施の形態にかかる建具であって、全閉状態にあるときの上下方向中間位置で切断した横断面図である。
【図１４】従来の建具であって、開き状態にあるときの横断面図である。
【発明を実施するための形態】
【０００９】
以下に、添付図面を参照して本発明の実施の形態を説明するが、まず、図１〜図１０を参照して本発明の第１実施の形態を説明する。  
図１に示すように、第１実施の形態にかかる建具１は、浴室戸であり、閉空間としての浴室と脱衣室とを連通する開口部に取付けてある。この建具１は、枠３と障子５とを備え、障子５は、折戸７と、折戸７の戸先側に設けた引戸９を有している。引戸９には取手９ａが設けてある。  
枠３は、戸尻竪枠１１と、戸先竪枠１３と、上枠１５と、下枠（図示せず）を組んで枠３の開口４を形成している。  
図２に示すように、枠３は、左右方向の開口寸法Ｌが障子５の左右方向の寸法Ｍよりも大きくしてある。また、図１（ａ）及び図２に示すように、障子５の全閉状態では、障子５は戸先側に寄せてあり、戸尻竪枠１１と障子５の戸尻竪框１９との間に障子５の移動空間Ｓを形成している。  
戸尻竪枠１１には、その室外側で移動空間Ｓに対向する仕切部２１が、戸尻竪枠１１の長手方向に亘って設けてある。仕切部２１の障子側端部には、気密材２３が設けてあり、気密材２３の先端部は戸尻竪框１９の室外側面に当接している。  
戸先竪枠１３には、その見込み面の室外側から内周側に突設する室外側壁部２５と、室内側から内周側に突設する室内側壁部２７とが設けてあり、全閉位置にある障子５の戸先側端部２９を、室外側壁部２５と室内側壁部２７との間に配置している。また、障子５の戸先側端部２９には、戸先竪枠１３の室内側壁部２７よりも室外側に突設する横断面がＬ字形状を成す室内側突設部３１が設けてある。このように、戸先竪枠１３の室外側壁部２５及び室内側壁部２７と、これらの間に位置する障子５の戸先側端部２９と、障子５の室内側突設部３１とで、障子５と戸先竪枠１３との間にジクザク状の通気路２６を形成している。
【００１０】
障子５の引戸９は、上枠１５に沿ってその長手方向を移動自在に案内されている。折戸７の戸尻竪框１９には、折戸の回転軸３３が設けてある。図４に示すように、折戸の回転軸３３はピボットヒンジであり、回転軸３３の上端は、上枠１５のレール１５ａにスライド可能に係合しており、戸尻竪枠１９がレール１５ａに沿って枠３の左右方向に移動自在になっている。  
図２に示すように、折戸７は、戸先側折戸７ａが折戸ヒンジ３５に戸先側回動軸３７ａで連結してあり、戸尻側折戸７ｂが折戸ヒンジ３５に戸尻側回動軸３７ｂで連結してあり、戸先側回動軸３７ａ及び戸尻側回動軸３７ｂは、共に折戸の回転軸３３よりも寸法Ｅだけ室内側にずれて位置している。
【００１１】
ここで、障子５の開閉及び移動を案内する部材について説明する。図１〜図３に示すように、上枠１５には吊元ガイド４１と、２つの引寄せガイド４３とが設けてある。また、折戸７の上端には、吊元ガイド４１に係合する吊元ガイドローラ４７と、各引寄せガイド４３に係合する引寄せローラ４９とが設けてある。  
２つの引寄せガイド４３及び２つの引寄せローラ４９は、各々戸先側折戸７ａと戸尻側折戸７ｂとに対応して設けてあり、同じ構成であるから以下の説明では戸尻側折戸７ａ対応する位置にある引寄せガイド４３とこれに係合する引寄せローラ４９について説明する。  
図３、図５〜図７に示すように、吊元ガイド４１は、主部品４１ａと補助部品４１ｂとを組み付けて構成してあり、主部品４１ａと補助部品４１ｂとで吊元ガイドローラ４７の移動を案内するローラ案内溝５１を形成していると共に、補助部品４１ｂには折戸の回転軸３３が左右方向に移動するのを案内する回転軸案内部５２が形成してある。  
図１（ａ）（ｂ）に示すように、主部品４１ａは、障子５が移動空間Ｓを左右方向に移動したときに吊元ガイドローラ４７を案内する見付壁部５４と、折戸７を折り畳むときに吊元ガイドローラ４７の移動軌跡に沿って設けた湾曲壁部５６とを有し、湾曲壁部５６がローラ案内溝５１の室内側壁を構成している。  
図５及び図７に示すように、補助部品４１ｂは、ローラ案内溝５１を規定する室外側壁５１ｃを有し、室外側壁５１ｃは平面視直線状の傾斜部５１ａと、湾曲部５１ｂとを連続して設けてある。図２、図５及び図７に示すように、傾斜部５１ａは戸尻側を室内側へ向けて突設するように傾斜している。回転軸案内部５２には、折戸７が展開状態にあるときに、折戸の回転軸３３が戸尻竪枠側に移動するのを案内する移動案内部５３と戸尻竪枠側の基端位置を規制する基端位置規制部５５とが形成してある。  
図８に示すように、吊元ガイドローラ４７は障子固定部５７に対してスプリング５９で戸先側に付勢してある。  
図２及び図１０に示すように、引寄せガイド４３は、戸尻側折戸７ｂに取り付けた引寄せローラ４９を、戸尻側折戸７ｂの折り畳み開始時と締め切り時の軌跡に沿って案内する湾曲状案内部６１と、障子５の閉じ位置を規制するストッパ６３とを備えている。引寄せローラ４９は、ストッパ６３に係合することで、室内側及び戸先側への移動が規制される。  
図９に示すように、引寄せローラ４９は、障子固定部６５に対してスプリング６７で戸先側に付勢してある。
【００１２】
次に、第１実施の形態にかかる建具１の開閉操作について説明する。  
図１（ａ）及び図２に示すように、建具１の全閉状態では、折戸７は展開した状態にあり、戸尻竪枠１１と障子５の戸尻竪框１９との間に移動空間Ｓを形成している。この移動空間Ｓに対向した位置には仕切部２１があり、仕切部２１に設けた気密材２３が戸尻竪框１９に当接して移動空間Ｓの室外側開口を塞いでいる。  
一方、障子５の戸先竪框１３の戸先側端部２９は、戸先竪枠１３の見込み面から突設した室外側壁部２５と室内側壁部２７との間に位置しており、室内側突設部３１と共にジグザグの通気路２６を形成して、室内側と室外側との換気を図ると共に室内（浴室）のシャワー水等が脱衣室側に浸入するのを防いでいる。  
また、建具１の全閉状態では、吊元ガイドローラ４７は吊元ガイド４１の見付壁部５４の室外側に位置している。各引寄せローラ４９は、引寄せガイド４３のストッパ６３に係合して戸先側への移動が規制されていると共に折戸７の展開状態が保持されている。
【００１３】
建具１を開くときには、図１（ｂ）に矢印Ｔで示すよう、まず、引戸９の取手９ａを障子５の面内方向戸尻側へ引いて障子５を戸尻側にスライドする。  
これにより、障子５の全体が戸尻竪枠１１側へ移動空間Ｓ分移動する。障子５が戸尻竪枠１１側へ移動すると折戸の回転軸３３が吊元ガイド４１の回転軸案内部５２に案内されて移動し、基端位置規制部５５（図２参照）に当接して移動が規制されると共に吊元ガイドローラ４７は見付壁部５４に沿って移動し、ローラ案内溝５１の手前に位置する。一方、各引寄せローラ４９は、戸尻側に移動して対応する引寄せガイド４３から外れる。  
図１（ｃ）に示すように、更に、引戸９の取手９ａを矢印Ｔ方向へ引くと、折戸の回転軸３３と、折戸ヒンジ３５の戸尻側回転軸３７ｂ及び戸先側回転軸３７ａが、水平方向でずれた位置にあることから、戸尻側回転軸３７ｂ及び戸先側回転軸３７ａに回転モーメントが作用して、折戸７の折り畳みが開始する。一方、吊元ガイドローラ４７は、吊元ガイド４１の傾斜部５１ａ（図２参照）に沿って移動することで、折り畳みを促進する。
更に、取手９ａを矢印Ｔ方向へ引くと、折戸７が次第に折り畳まれ、吊元ガイドローラ４７は湾曲状のローラ案内溝５１内を移動する。  
そして、図１（ｄ）に示すように、折戸７の戸先側折戸７ａと戸尻側折戸７ｂとが面を対向させるようにして折り畳みが完了し、建具１を全開する。
【００１４】
図１（ｄ）に示す建具１の全開状態から閉じるときには、取手９ａを矢印Ｔと反対方向、即ち、戸先側に引いて引戸９を戸先側へスライドする。  
図１（ｃ）に示す折戸７が展開する途中の状態では、折戸７の回転軸３３は基端位置にあり戸尻側折戸７ｂに対して相対的に回転するが、このとき吊元ガイドローラ４７は吊元ガイド４１の円弧状のローラ案内溝５１を移動するので、折戸７が引戸９のスライド方向（符号Ｔと反対方向）へ移動しようとすると、吊元ガイドローラ４７は案内溝５１の湾曲壁部５６（図２参照）に当接して戸先側への移動が規制される。これにより、折戸７が戸先側へ移動することなく、折戸７の回転軸３３は基端位置に保持される。  
そして、図１（ｃ）の状態を経て、更に引戸９を戸先側へスライドすると、図１（ｂ）に示すように、折戸７が展開状態になる。この状態で、吊元ガイドローラ４７は吊元ガイド４１のローラ案内溝５１から外れ、引寄せローラ４９は引寄せガイド４３に対向して位置する。吊元ガイドローラ４７はローラ案内溝５１から外れるので、障子５は戸先側へ移動可能な状態になる。  
図１（ｂ）の状態では、戸先側に移動空間分の隙間Ｗができるので、引戸９を更に戸先側へ引いて障子５全体を戸先側へ移動空間分の隙間Ｗ分移動すると、引寄せローラ４９が引寄せガイド４３のストッパ６３に係合してそれ以上の移動が阻止される。これにより、図１（ａ）に示すように、引戸９の戸先側端部２９は室外側壁部２５と室内側壁部２７との間に位置して、通気路２６を形成した状態（図２参照）で建具１を全閉にする。
【００１５】
次に、第１実施の形態の作用効果について説明する。  
図１（ａ）に示すように、全閉状態にあるときには、障子５の戸先には戸先竪枠１３との間に通気路２６が形成されているが、この通気路２６を通る空気は、折戸の開閉時の空気抵抗を解消する流通量ではない。  
これに対して、本実施の形態では、図１（ｂ）に示すように、障子５を開き始めるときには、折戸５の回転軸３３を基端位置にすることで、障子５の戸先側と枠３との間に移動空間分の隙間Ｗが形成され、この隙間Ｗを空気が流通するから、折戸５の折畳み開始時に、浴室のように密閉された閉空間内の空気を圧縮する抵抗が小さく、軽い力で開くことができる。  
同様に、折戸７を展開して障子５を閉じ切るときには、障子５の戸先側部２９と戸先竪枠１３との間に移動空間分の隙間Ｗがあるのでこの隙間Ｗを空気が流通するから、閉空間内の空気を吸引する抵抗が小さく、軽い力で閉じることができる。  
障子５を戸尻側に向けて障子５の面内方向にスライドすることで折戸７を折り畳み、障子５を戸先側に向けて障子５の面内方向にスライドすることで折戸７を展開できるから、一直線方向の力で障子５を開閉できるので、使い勝手が良い。
【００１６】
図２に符号Ｅで示すように、折戸ヒンジ３５の戸先側回転軸３７ａ及び戸尻側回転軸３７ｂを折戸の回転軸３３に対して室内側にずらしてあるので、折戸回転軸３３が障子５の面内方向にスライドする力が、戸先側回転軸３７ａ及び戸尻側回転軸３７ｂに回転モーメントとして作用するから、蹴り出し機構等を設けなくても、折戸７を折り畳むことができる。  
図２に示すように、障子５が全閉状態にあるときに、障子５の戸先端部２９と戸先竪枠１３との間に通気路２６を形成しているので、戸先での換気を図ることができる。また、障子５を開くと、通気路２６を形成している戸先側部２９及び戸先竪枠１３の対向面が露出できるので、汚れがたまりやすい通気路２６の清掃がし易い。更に、ジグザクの通気路２６を形成することで、室内と室外の換気を図りつつ浴室（室内）から脱衣室側（室外）に水が浸入するのを防止できる。  
仕切部２１を設けることにより、移動空間Ｓを通じて浴室の水が脱衣室側に浸入するのを防止できると共に浴室内への空気の流入を防ぎ、浴室（閉空間）の気密性を高めることができる。
【００１７】
図１（ｃ）に示すように、吊元ガイド４１には、吊元ガイドローラ４７の移動を案内する案内溝５１を形成してあり、折戸７を展開するときには（建具１を閉じるときには）吊元ガイドローラ４７が案内溝５１の湾曲壁部５６（図２参照）に当接して、折戸７の回転軸３３が戸先側へ移動するのを規制しているから、引戸９の引き操作のみで、折戸９を展開することができる。  
図２及び図３に示すように、吊元ガイド４１には、平面視直線状の傾斜部５１ａを設けているから、障子５を開くときには、引戸９の引き操作に対して戸尻側折戸７ｂが傾斜部５１ａの傾斜に沿って室内側へ移動することで、折戸７の折り畳み開始を促進できる。  
図１（ａ）に示すように、折戸の回転軸３３を基端位置から戸先側へ移動した全閉状態では、引寄せローラ４９は引寄せガイド４３のストッパ６３（図１０参照）に係合して、戸先側への移動が規制されるから、全閉位置にある障子５が戸先側へ移動するのを規制し、障子５の戸先側端部２９と戸先竪枠１３との間の通気路２６を確保することができる。更に、引寄せローラ４９は引寄せガイド４３のストッパ６３に係合することで、室内側への移動が規制されるから、戸が風圧等により開くのを防止できる。
【００１８】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図１１に、本発明の第２実施の形態にかかる建具１を示す。この第２実施の形態では、障子５は折戸７のみで構成してあり、折戸７の戸先側に引戸９が無いことが第１実施の形態と異なっている。即ち、折戸７の戸先竪框７ｃは、戸先側折戸７ａの本体７ｄに対して回動自在に取付けてあり、戸先竪框７ｃに取手９ａが設けてあり、戸先竪框７ｃが障子５の面内方向にのみスライドするようにしてある。その他の構成は、第１実施の形態と同様である。  
この第２実施の形態によれば、第１実施の形態にかかる引戸９に替えて、戸先竪框７ｃを引戸９と同様にスライドすることで、第１実施の形態と同様な作用効果を得ることができる。
【００１９】
図１２に、本発明の第３実施の形態にかかる建具１を示す。この第３実施の形態では、戸尻竪枠１１が、戸尻竪框１９に対向する見込壁１１ａと、躯体取付部１１ｂと、見込壁１１ａと躯体取付部１１ｂとの間に位置する仕切部２１とを備えており、仕切部２１と躯体取付部１１ｂとで、断面略Ｌ字形状を成している。  
そして、躯体２は仕切部２１の室外側見付面と躯体取付部１１ｂの外周側見込面に対向して配置している。即ち、仕切部２１は躯体２により室外側から隠蔽されていることが上述した第１及び第２実施の形態と異なっている。  
この第３実施の形態によれば、上述した第１実施の形態と同様の作用効果を奏することができる。  
更に、仕切部２１は、室外側面を躯体２で隠してあり、室外側から見えないと共に枠３の開口部内周に突設しているように見えないから、意匠性が良い。
【００２０】
図１３に本発明の第４実施の形態にかかる建具１を示す。この第４実施の形態では、戸尻竪枠１１と戸尻竪框１９との間に弾性変形可能な仕切部２１を設けてある。仕切部２１は例えば、薄膜状の樹脂材やゴム材であり、障子５の戸尻竪枠１９と戸尻竪枠１１とに固定してある。  
この第４実施の形態では、図１３に二点鎖線で示すように、戸尻竪框１９が戸尻竪枠１１側へ移動すると仕切部２１が弾性変形して、室内側と室外側との間の仕切り状態を保持する。  
この第４実施の形態によれば、第１実施の形態と同様の作用効果を奏することができる。
【００２１】
本発明は、上述した実施の形態に限らず、本発明の要旨を逸脱しない範囲で種々変形可能である。  
例えば、建具１は、浴室戸に限らず、ウォーキングクローゼットや建物内の部屋等の少なくとも一方の空間が閉空間である空間同士を連通する開口部に設けるものであれば良い。  
第１及び第２実施の形態において、仕切部２１は、面状の板材に限らず、ガラリ等であって良く、移動空間Ｓを仕切るものであれば、通気可能なものであってもよい。
第４実施の形態では、仕切部２１は、アコーディオンカーテンのように山谷を折り畳み自在に設けたものであっても良い。  
吊元ガイド４１は主部品４１ａと補助部品４１ｂとの２部品で構成したが、これに限らず、１つの部品で構成するものであっても良い。  
第２実施の形態において、戸先竪框７ｃは戸先側折戸７ａの本体７ｄに対して回動自在に設けないで、戸先側折戸７ａの本体７ｄに固定してあっても良く、戸先竪框７ｃが上枠１５又は下枠に案内されて左右方向にスライドするものであれば良い。  
尚、閉空間には、開閉戸を付けたり、換気・通風構造を設けたりすることも可能である。そして、閉空間は完全なる密閉状態のものであっても良い。
【符号の説明】
【００２２】
１    建具
３    枠
５    障子
７    折戸
９    引戸
２１  仕切部
３３  折戸の回転軸
Ｌ    左右方向の開口寸法
Ｍ    障子の左右方向の寸法
Ｓ    移動空間
Ｗ    移動空間分の隙間
【図１】
2020079555.tif 000003
【図２】
2020079555.tif 000004
【図３】
2020079555.tif 000005
【図４】
2020079555.tif 000006
【図５】
2020079555.tif 000007
【図６】
2020079555.tif 000008
【図７】
2020079555.tif 000009
【図８】
2020079555.tif 000010
【図９】
2020079555.tif 000011
【図１０】
2020079555.tif 000012
【図１１】
2020079555.tif 000013
【図１２】
2020079555.tif 000014
【図１３】
2020079555.tif 000015
【図１４】
2020079555.tif 000016
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
隣接する空間のうち、少なくとも一方を閉空間とした空間同士を連通する開口部に取付けるものであり、枠と、障子を備え、障子は折戸を有し、枠は、左右方向の開口寸法が障子の左右方向の寸法よりも大きく、戸尻側に障子の戸尻側が展開状態で移動可能な移動空間を有し、障子は、折戸の回転軸が枠の戸尻側端に位置する基端位置で折戸が展開状態にあるときに、戸尻側にスライドすることで折戸を折り畳み、基端位置で展開状態にある折戸が、展開状態のまま戸先側に移動空間分スライドしたときに、障子の戸先端部と戸先竪枠との間に通気路を形成した状態で全閉にすることを特徴とする建具。
【手続補正２】
【補正対象書類名】明細書
【補正対象項目名】０００６
【補正方法】変更
【補正の内容】
【０００６】
請求項１に記載の発明は、隣接する空間のうち、少なくとも一方を閉空間とした空間同士を連通する開口部に取付けるものであり、枠と、障子を備え、障子は折戸を有し、枠は、左右方向の開口寸法が障子の左右方向の寸法よりも大きく、戸尻側に障子の戸尻側が展開状態で移動可能な移動空間を有し、障子は、折戸の回転軸が枠の戸尻側端に位置する基端位置で折戸が展開状態にあるときに、戸尻側にスライドすることで折戸を折り畳み、基端位置で展開状態にある折戸が、展開状態のまま戸先側に移動空間分スライドしたときに、障子の戸先端部と戸先竪枠との間に通気路を形成した状態で全閉にすることを特徴とする建具である。